(57)【要約】【課題】漏洩する電磁波を低減させる。【解決手段】電磁シールド構造は、第１凹部１１０を有し、かつ第１凹部１１０を囲む側面に沿って段差部１１２が形成されている第１シャーシ１１と、少なくとも一部が第１シャーシ１１と接触することにより、第１凹部１１０を覆う第２シャーシ１２と、段差部１１２における水平面に接するガスケット１３と、を有し、第１シャーシ１１と第２シャーシ１２とが接している状態におけるガスケット１３の体積が、第１シャーシ１１と第２シャーシ１２とが接していない状態におけるガスケット１３の体積よりも小さい。【選択図】図１
2020088277.tif 000002
【特許請求の範囲】
【請求項１】
第１凹部を有し、かつ前記第１凹部を囲む側面に沿って段差部が形成されている第１シャーシと、
少なくとも一部が前記第１シャーシと接触することにより、前記第１凹部を覆う第２シャーシと、
前記段差部における水平面に接するガスケットと、
を有し、
前記第１シャーシと前記第２シャーシとが接している状態における前記ガスケットの体積が、前記第１シャーシと前記第２シャーシとが接していない状態における前記ガスケットの体積よりも小さいことを特徴とする電磁シールド構造。
【請求項２】
前記ガスケットは、前記段差部における前記水平面と直交する垂直面にさらに接することを特徴とする、
請求項１に記載の電磁シールド構造。
【請求項３】
前記第１シャーシと前記第２シャーシとが接していない状態において、前記段差部に設けられた前記ガスケットの高さが、前記段差部における前記垂直面の高さよりも大きいことを特徴とする、
請求項２に記載の電磁シールド構造。
【請求項４】
前記第１シャーシは、前記第１凹部を囲む側面に沿って形成された第１段差部及び第２段差部を前記段差部として有し、
前記電磁シールド構造は、
前記第１段差部における第１水平面と、前記第１水平面と直交する第１垂直面とに接する第１ガスケットと、
前記第２段差部における第２水平面と、前記第２水平面と直交する第２垂直面とに接する第２ガスケットと、
を有することを特徴とする、
請求項１から３のいずれか一項に記載の電磁シールド構造。
【請求項５】
前記第１段差部は、前記第２段差部よりも内側に形成されており、
前記第１シャーシと前記第２シャーシとが接していない状態において、前記第１ガスケットの高さが前記第１垂直面の高さよりも小さく、前記第２ガスケットの高さが前記第２垂直面の高さよりも大きいことを特徴とする、
請求項４に記載の電磁シールド構造。
【請求項６】
前記第１シャーシは、前記第２段差部を囲む第３水平面をさらに有し、
前記第２シャーシは、前記第３水平面と接する状態で前記第２ガスケットと接する第４水平面を有することを特徴とする、
請求項４又は５に記載の電磁シールド構造。
【請求項７】
前記第２シャーシは、前記第３水平面と前記第４水平面とが接している状態において前記第１ガスケットと接する第５水平面を有することを特徴とする、
請求項６に記載の電磁シールド構造。
【請求項８】
前記第２シャーシは、前記第１シャーシと接触した状態で前記第１凹部に対向する位置に設けられた第２凹部を有することを特徴とする、
請求項１から７のいずれか一項に記載の電磁シールド構造。
【請求項９】
請求項１から８のいずれか一項に記載の電磁シールド構造を有する収容器と、
前記収容器に収容された電子回路と、
を有することを特徴とする電子機器。
【発明の詳細な説明】
【技術分野】
【０００１】
本発明は、電子回路を収容する電磁シールド構造及び電子機器に関する。
【背景技術】
【０００２】
従来、電子機器から不要な電波が漏洩することを防ぐためにガスケットが用いられている（例えば、特許文献１を参照）。
【先行技術文献】
【特許文献】
【０００３】
【特許文献１】特開平０９−１６２５８３号公報
【発明の概要】
【発明が解決しようとする課題】
【０００４】
従来のシールド構造においては、隙間が存在する箇所にガスケットが貼り付けられている。ガスケットにより電磁波が減衰するものの、残留する電磁波が隙間から漏洩するという問題があった。
【０００５】
そこで、本発明はこれらの点に鑑みてなされたものであり、漏洩する電磁波を低減させることができる電磁シールド構造及び電子機器を提供することを目的とする。
【課題を解決するための手段】
【０００６】
本発明の第１の態様の電磁シールド構造は、第１凹部を有し、かつ前記第１凹部を囲む側面に沿って段差部が形成されている第１シャーシと、少なくとも一部が前記第１シャーシと接触することにより、前記第１凹部を覆う第２シャーシと、前記段差部における水平面に接するガスケットと、を有し、前記第１シャーシと前記第２シャーシとが接している状態における前記ガスケットの体積が、前記第１シャーシと前記第２シャーシとが接していない状態における前記ガスケットの体積よりも小さい。前記ガスケットは、前記段差部における前記水平面と直交する垂直面にさらに接してもよい。
【０００７】
前記第１シャーシと前記第２シャーシとが接していない状態において、前記段差部に設けられた前記ガスケットの高さが、前記段差部における前記垂直面の高さよりも大きくてもよい。
【０００８】
前記第１シャーシは、前記第１凹部を囲む側面に沿って形成された第１段差部及び第２段差部を前記段差部として有し、前記電磁シールド構造は、前記第１段差部における第１水平面と、前記第１水平面と直交する第１垂直面とに接する第１ガスケットと、前記第２段差部における第２水平面と、前記第２水平面と直交する第２垂直面とに接する第２ガスケットと、を有してもよい。
【０００９】
前記第１段差部は、前記第２段差部よりも内側に形成されており、前記第１シャーシと前記第２シャーシとが接していない状態において、前記第１ガスケットの高さが前記第１垂直面の高さよりも小さく、前記第２ガスケットの高さが前記第２垂直面の高さよりも大きくてもよい。
【００１０】
前記第１シャーシは、前記第２段差部を囲む第３水平面をさらに有し、前記第２シャーシは、前記第３水平面と接する状態で前記第２ガスケットと接する第４水平面を有してもよい。
【００１１】
前記第２シャーシは、前記第３水平面と前記第４水平面とが接している状態において前記第１ガスケットと接する第５水平面を有してもよい。前記第２シャーシは、前記第１シャーシと接触した状態で前記第１凹部に対向する位置に設けられた第２凹部を有してもよい。
【００１２】
本発明の第２の態様の電子機器は、上記のいずれかに記載の電磁シールド構造を有する収容器と、前記収容器に収容された電子回路と、を有する。
【発明の効果】
【００１３】
本発明によれば、漏洩する電磁波を低減させることができるという効果を奏する。
【図面の簡単な説明】
【００１４】
【図１】電子機器を分解した状態を示す図である。
【図２】電子機器において第１シャーシと第２シャーシとが結合された状態におけるＡ−Ａ線断面図である。
【図３】第１シャーシにおいて第１ガスケット及び第２ガスケットが固定されている周辺部の詳細を説明するための図である。
【図４】第２シャーシにおける第１シャーシと接する付近を示す図である。
【発明を実施するための形態】
【００１５】
［電子機器１の構成］
図１は、電子機器１を分解した状態を示す図である。電子機器１は、第１シャーシ１１と、第２シャーシ１２とを有する。第１シャーシ１１及び第２シャーシ１２は、結合することにより、内部の空間に電子回路を収容する収容器として機能する。電子機器１は、第１シャーシ１１と第２シャーシ１２との間に設けられた第１ガスケット１３及び第２ガスケット１４をさらに有する。
【００１６】
図２は、電子機器１において第１シャーシ１１と第２シャーシ１２とが結合された状態におけるＡ−Ａ線断面図である。図２は、第１シャーシ１１と第２シャーシ１２とが接する位置の付近における一つの側壁の周辺の断面を示している。電子機器１が、図２に示す電磁シールド構造を有することにより、電子機器１に収容された電子回路が発する電磁波が外部に漏洩する量を低減させることができる。
【００１７】
第１シャーシ１１は、例えば下側のシャーシであり、電子回路を収容する第１凹部１１０を有する。第１シャーシ１１は、例えば金属を含む材料により形成されている。第１シャーシ１１には、第１凹部１１０を囲む側面に沿って段差部が形成されている。段差部の詳細については後述する。第１シャーシ１１は、ａ面、ｂ面、ｃ面及びｄ面の４つの側面を有しており、ｃ面側にコネクタ１１１が設けられている。コネクタ１１１は、例えば、電子機器１の内部の可変アッテネータを制御する信号を入力するためのＳＭＡコネクタである。
【００１８】
第２シャーシ１２は、例えば上側のシャーシであり、第１シャーシ１１における第１凹部１１０の周囲に形成された環状の面と接触することにより、第１シャーシ１１に収容された電子回路を密閉する。また、第２シャーシ１２は、第１シャーシ１１と第２シャーシ１２とが接触した状態で第１凹部１１０に対向する位置に設けられた第２凹部（不図示）を有してもよい。この場合、第１凹部１１０と第２凹部とが、電子回路を収容する空間を形成する。第２シャーシ１２は、例えば金属を含む材料により形成されている。
【００１９】
第１ガスケット１３及び第２ガスケット１４は、第１シャーシ１１及び第２シャーシ１２の外周形状とほぼ相似な形の環状に形成されている。第１ガスケット１３及び第２ガスケット１４は、導電性接着剤により、第１シャーシ１１に形成された段差部における水平面に接する状態で第１シャーシ１１に固定されている。図１及び図２に示す例において、第１ガスケット１３は、第２ガスケット１４よりも内側において第１シャーシ１１に固定されている。また、第１ガスケット１３は、第２ガスケット１４よりも低い位置において第１シャーシ１１に固定されている。
【００２０】
第１ガスケット１３及び第２ガスケット１４は、例えば導電性繊維により形成されており、弾力性を有する。第１ガスケット１３及び第２ガスケット１４は、第１シャーシ１１と第２シャーシ１２とが接する状態で、第１シャーシ１１及び第２シャーシ１２の両方に接触する態様で設けられている。
【００２１】
第１ガスケット１３及び第２ガスケット１４は、第１シャーシ１１と第２シャーシ１２とが接する状態で第１シャーシ１１と第２シャーシ１２とに挟まれることで、第１シャーシ１１と第２シャーシ１２とが接していない状態に比べて体積が小さくなる。すなわち、第１シャーシ１１と第２シャーシ１２とが接している状態における第１ガスケット１３及び第２ガスケット１４の体積が、第１シャーシ１１と第２シャーシ１２とが接していない状態における第１ガスケット１３及び第２ガスケット１４の体積よりも小さい。電子機器１がこのように構成されていることで、第１ガスケット１３及び第２ガスケット１４と、第１シャーシ１１及び第２シャーシ１２との間に隙間が形成されないので、電子機器１の内部の電子回路から出力される高周波信号が漏洩する量を減らすことができる。
【００２２】
第１シャーシ１１と第２シャーシ１２とは、複数のネジ１５により結合されている。第２シャーシ１２の外側面には、外周に沿って水平方向の段差領域が形成されており、当該段差領域に複数の穴１２１が形成されている。複数の穴１２１は、例えば等間隔に形成されている。それぞれの穴１２１にネジ１５が挿入されることで、第１シャーシ１１と第２シャーシ１２とが固定される。
【００２３】
［第１ガスケット１３及び第２ガスケット１４を固定する構造］
図３は、第１シャーシ１１において第１ガスケット１３及び第２ガスケット１４が固定されている周辺部の詳細を説明するための図である。図３（ａ）は、第１ガスケット１３及び第２ガスケット１４が第１シャーシ１１に固定されていない状態の第１シャーシ１１の断面図である。図３（ｂ）は、第１ガスケット１３及び第２ガスケット１４が第１シャーシ１１に固定されている状態の第１シャーシ１１、第１ガスケット１３及び第２ガスケット１４の断面図である。
図４は、第２シャーシ１２における第１シャーシ１１と接する付近を示す図である。
【００２４】
図３（ａ）に示すように、第１シャーシ１１は、第１凹部１１０を囲む側面に沿って形成された第１段差部１１２及び第２段差部１１３を有する。第１段差部１１２及び第２段差部１１３は、それぞれ水平面と垂直面とを有する。第１段差部１１２の水平面（第１水平面１１２ａ）の幅はＬ１であり、第１ガスケット１３の幅Ｗ１よりも大きい。第２段差部１１３の水平面（第２水平面１１３ａ）の幅はＬ２であり、第２ガスケット１４の幅Ｗ２よりも大きい。また、第１段差部１１２の垂直面（第１垂直面１１２ｂ）の高さはＨ１であり、第２段差部１１３の垂直面（第２垂直面１１３ｂ）の高さはＨ２である。第１段差部１１２は、第２段差部１１３よりも第１シャーシ１１の内側に形成されている。
【００２５】
図３（ｂ）に示すように、第１ガスケット１３は、第１段差部１１２における第１水平面１１２ａと、第１水平面１１２ａと直交する第１垂直面１１２ｂとに接するように、第１シャーシ１１に固定されている。第２ガスケット１４は、第２段差部１１３における第２水平面１１３ａと、第２水平面１１３ａと直交する第２垂直面１１３ｂとに接するように、第１シャーシ１１に固定されている。
【００２６】
図３（ｂ）に示す例においては、第１シャーシ１１と第２シャーシ１２とが接していない状態において、第２段差部１１３に設けられた第２ガスケット１４の高さｈ２が、第２段差部１１３における第２垂直面１１３ｂの高さＨ２よりも大きい。
【００２７】
第１シャーシ１１は、第２段差部１１３を囲む第３水平面１１４をさらに有する。図４に示すように、第２シャーシ１２は、第１シャーシ１１と第２シャーシ１２とが接触した状態で、第３水平面１１４と接する状態で第２ガスケット１４と接する第４水平面１２４を有する。第２ガスケット１４の高さｈ２が第２段差部１１３の垂直面の高さＨ２よりも高いので、第２シャーシ１２は、自重により第２ガスケット１４を押し付けることで第２ガスケット１４を圧縮する。第２シャーシ１２は、例えば第２ガスケット１４の体積が、第１シャーシ１１と第２シャーシ１２とが接していない状態における第２ガスケット１４の体積の約７０％になるように第２ガスケット１４を圧縮する。
【００２８】
また、第２シャーシ１２は、第３水平面１１４と第４水平面１２４とが接している状態において第１ガスケット１３と接する第５水平面１２５を有する。第３水平面１１４と第４水平面１２４とが接している状態において、第５水平面１２５と第１水平面１１２ａとの間は、圧縮されていない状態の第１ガスケット１３の高さｈ１よりも短い距離だけ離れている。第５水平面１２５と第１水平面１１２ａとの間の距離は、第１シャーシ１１と第２シャーシ１２とが接する状態において、例えば、第１ガスケット１３の体積が、第１シャーシ１１と第２シャーシ１２とが接していない状態における第１ガスケット１３の体積の約７０％になるように圧縮する距離に設計されている。
【００２９】
このように、電子機器１においては、本実施の形態の電磁シールド構造が電子機器１に設けられていることにより、電磁波の漏洩量が低減する。その結果、電子機器１は、外部機器への影響を与えにくくなる。また、電子機器１が出力する電力値が電磁波の影響で電力値が変動しないので、出力する電力値を調整する際の調整精度が向上する。
【００３０】
［変形例］
以上の説明においては、第１シャーシ１１が複数の段差部を有する例を示したが、第１シャーシ１１が第１段差部１１２又は第２段差部１１３の一方のみを有しており、第１ガスケット１３又は第２ガスケット１４の一方が設けられていてもよい。
【００３１】
また、以上の説明においては、第１ガスケット１３及び第２ガスケット１４が、第１段差部１１２及び第２段差部１１３の水平面及び垂直面に接する例を示したが、第１ガスケット１３及び第２ガスケット１４が、第１段差部１１２及び第２段差部１１３の垂直面に接していなくてもよい。
【００３２】
また、以上の説明においては、第１シャーシ１１が段差部を有する例を示したが、第２シャーシ１２が段差部を有しており、当該段差部にガスケットが設けられていてもよい。例えば、第２シャーシ１２が、図２に示した第１シャーシ１１に形成されている第１段差部１１２及び第２段差部１１３と同等の形状の段差部を有しており、当該段差部にガスケットが固定されていてもよい。また、図２に示す状態において、第１ガスケット１３及び第２ガスケット１４が第１シャーシ１１に導電性接着剤により固定されている代わりに、第１ガスケット１３及び第２ガスケット１４が第２シャーシ１２に導電性接着剤により固定されていてもよい。
【００３３】
［本実施形態の電磁シールド構造による効果］
以上説明したように、電子機器１においては、第１シャーシ１１に形成された第１段差部１１２の水平面に接するように第１ガスケット１３が固定され、第２段差部１１３の水平面に接するように第２ガスケット１４が固定されている。そして、第２シャーシ１２が第１シャーシ１１にかぶせられて、第１シャーシ１１の外周部と第２シャーシ１２の外周部とが接するようになった状態で、第１ガスケット１３及び第２ガスケット１４の体積が、第１シャーシ１１と第２シャーシ１２とが接していない状態の体積よりも小さくなる。
【００３４】
電子機器１がこのように構成されていることにより、第１ガスケット１３及び第２ガスケット１４と第１シャーシ１１及び第２シャーシ１２との間に隙間が生じないので、電子回路において発生した電磁波が、第１ガスケット１３及び第２ガスケット１４を超えて外部に向けて伝搬されにくくなる。さらに、第１ガスケット１３及び第２ガスケット１４が、それぞれ第１段差部１１２及び第２段差部１１３の垂直面に接した状態で固定されているので、第１ガスケット１３及び第２ガスケット１４を通過した電磁波の成分が垂直面によって反射されて第１ガスケット１３及び第２ガスケット１４に戻る。その結果、電磁波がさらに外部に伝搬されづらくなる。
【００３５】
また、第１ガスケット１３が、第２ガスケット１４よりも電子機器１の下方及び内側に設けられていることにより、電磁波が第１ガスケット１３を通過したとしても、残留する電磁波が第２ガスケット１４により漏洩を妨げられる。このように、複数のガスケットが異なる位置に設けられていることにより、電磁波がさらに漏洩しづらくなる。
【００３６】
また、弾力性がある第１ガスケット１３及び第２ガスケット１４が設けられていることにより、段差部の加工誤差及び表面の凹凸の影響が抑制され、第１シャーシ１１及び第２シャーシ１２の加工及び位置決めが容易になる。
【００３７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００３８】
１  電子機器
２  電源
３  ホーンアンテナ
４  スペクトラムアナライザ
５  信号発生器
１１  第１シャーシ
１２  第２シャーシ
１３  第１ガスケット
１４  第２ガスケット
１５  ネジ
１１０  第１凹部
１１１  コネクタ
１１２  第１段差部
１１３  第２段差部
１１４  第３水平面
１２１  穴
１２４  第４水平面
１２５  第５水平面
【図１】
2020088277.tif 000003
【図２】
2020088277.tif 000004
【図３】
2020088277.tif 000005
【図４】
2020088277.tif 000006